(57)【特許請求の範囲】
【請求項１】
カーテンウォールユニットが建物の外周部に縦横に配置されて形成されるカーテンウォールであって、
前記カーテンウォールユニットは、横枠及び縦枠が枠状に組み合わされて形成される枠体と、前記枠体により区画される枠内に配置されるガラスパネルと、を有し、
隣接する前記カーテンウォールユニットの組み合わされる縦枠間には、複数のシール材が配置され、
隣接する前記カーテンウォールユニットの組み合わされる横枠間にはシール材が配置され、
前記横枠間には、前記シール材及び前記横枠の片により囲まれる横枠空間が形成され、前記縦枠間には、前記シール材及び前記縦枠の片により囲まれる少なくとも２つの縦枠空間が、見込方向に並列されて形成され、
最も室外側に配置される下横枠空間が少なくとも１か所で外気に連通されるように、前記片又は前記シール材が第１の非シール部を有し、
前記縦枠空間のうち最も室外側に配置される縦枠空間は前記最も室外側の下横枠空間に連通しており、
前記最も室外側に配置される縦枠空間以外の他の縦枠空間が、前記最も室外側に配置された縦枠空間に直接又は他の縦枠空間を介して連通するように、前記片又は前記シール材が第２の非シール部を備え、前記縦枠空間を連通するための前記第２の非シール部は、前記第１の非シール部よりも上下方向において高い位置に配置されている、カーテンウォール。
【請求項２】
前記縦枠間には、前記シール材及び前記縦枠の片により囲まれた３つの縦枠空間が、見込方向に並列されて形成され、３つの前記縦枠空間を連通するための前記第２の非シール部は、室内側に向かって前記縦枠空間の上下方向において高い位置に配置されることを特徴とする請求項１に記載のカーテンウォール。
【請求項３】
カーテンウォールユニットが建物の外周部に縦横に配置されて形成されるカーテンウォールにおける前記カーテンウォールユニット間に備えられる水密構造であって、
隣接する前記カーテンウォールユニットの組み合わされる縦枠間に配置される複数のシール材と、隣接する前記カーテンウォールユニットの組み合わされる横枠間に配置されるシール材と、を有し、
前記横枠間には、前記シール材及び前記横枠の片により囲まれる横枠空間が形成され、
前記縦枠間には、前記シール材及び前記縦枠の片により囲まれる少なくとも２つの縦枠空間が、見込方向に並列されて形成され、
最も室外側に配置される下横枠空間が少なくとも１か所で外気に連通されるように前記片又は前記シール材が第１の非シール部を有し、前記縦枠空間のうち最も室外側に配置される縦枠空間は前記最も室外側の下横枠空間に連通しており、前記最も室外側に配置される縦枠空間以外の他の縦枠空間が、前記最も室外側に配置された縦枠空間に直接又は他の縦枠空間を介して連通するように、前記片又は前記シール材が第２の非シール部を備え、前記縦枠空間を連通するための前記第２の非シール部は、前記第１の非シール部よりも上下方向において高い位置に配置されている、カーテンウォールの水密構造。
【発明の詳細な説明】
【技術分野】
【０００１】
本発明は、建物外周に並列されるカーテンウォール、及び該カーテンウォールの水密構造に関し、水密性と断熱性をいずれも向上させることのできるカーテンウォール、及びカーテンウォールの水密構造に関する。
【背景技術】
【０００２】
カーテンウォールは、予め組み立てておいたカーテンウォールユニットを建物躯体に金具により取り付けて外壁を形成するものである。従って、施工性に優れ、これに加えて、近年におけるガラス基調の外観への要望にも対応できることから、新築及び建て替えビル等への採用が増加している。
【０００３】
カーテンウォールでは、隣接するカーテンウォールユニット間や、部材の接合部等において水密性を得ることが重要な要素の１つとなっている。そのための態様の１つとして、各接合部を完全にシールするのではなく、一部を積極的に外気に開放し、接合部に形成された空間を外部と等圧にする技術がある。これによれば、外部と等圧にされた空間では外部との差圧がほとんどないので、差圧に起因する外部からの水の吸い込みを防止することができる。
【０００４】
このような等圧空間の利用自体は一般的であり、例えば特許文献１や特許文献２等を挙げることができる。
【先行技術文献】
【特許文献】
【０００５】
【特許文献１】特開２００８−２９７８７７号公報
【特許文献２】特許第３６４０３３２号公報
【発明の概要】
【発明が解決しようとする課題】
【０００６】
しかしながら、従来の上記した態様のカーテンウォールでは等圧とするために外気を導入するに際し、当該等圧とされた空間の温度も外気と近いものとなっており、断熱性がどうしても低下してしまう問題があった。等圧とされた空間をさらに他の部材で覆い、その間に断熱材を設けるという態様もあるが、部品点数が多くなり、施工の手間や部材自体の観点からコストがかかるという問題があった。
【０００７】
そこで、本発明は上記問題点に鑑み、等圧空間を形成する態様であっても高い断熱性を得ることができるカーテンウォール、及び該カーテンウォールの水密構造を提供することを課題とする。
【課題を解決するための手段】
【０００８】
以下、本発明について説明する。なお、本発明の理解を容易にするために添付図面の参照符号を括弧書きにて付記するが、それにより本発明が図示の形態に限定されるものではない。
【０００９】
請求項１に記載の発明は、カーテンウォールユニット（１０）が建物の外周部に縦横に配置されて形成されるカーテンウォール（１）であって、カーテンウォールユニットは、横枠（１４、１５）及び縦枠（１２、１３）が枠状に組み合わされて形成される枠体（１１）と、枠体により区画される枠内に配置されるガラスパネル（４０）と、を有し、隣接するカーテンウォールユニットの組み合わされる縦枠間には、複数のシール材（２０〜２５）が配置され、隣接するカーテンウォールユニットの組み合わされる横枠間にはシール材（２６〜２９）が配置され、横枠間には、シール材及び横枠の片により囲まれる横枠空間（Ｄ、Ｅ、Ｆ）が形成され、縦枠間には、シール材及び縦枠の片により囲まれる少なくとも２つの縦枠空間（Ａ、Ｂ、Ｃ）が、見込方向に並列されて形成され、最も室外側の下横枠空間（Ｄ）が少なくとも１か所で外気に連通されるように、片又はシール材が第１の非シール部（２９ａ）を有し、縦枠空間のうち最も室外側に配置される縦枠空間（Ａ）は最も室外側の下横枠空間に連通しており、最も室外側に配置される縦枠空間以外の他の縦枠空間（Ｂ、Ｃ）が、最も室外側に配置された縦枠空間に直接又は他の縦枠空間を介して連通するように、片又はシール材が第２の非シール部（２１ａ、２２ａ）を備え、縦枠空間を連通するための第２の非シール部は、第１の非シール部よりも上下方向において高い位置に配置されているカーテンウォールである。
【００１０】
請求項２に記載の発明は、請求項１に記載のカーテンウォール（１）において、縦枠（１２、１３）間には、シール材及び縦枠の片により囲まれた３つの縦枠空間（Ａ、Ｂ、Ｃ）が、見込方向に並列されて形成され、３つの縦枠空間を連通するための第２の非シール部（２１ａ、２２ａ）は、室内側に向かって縦枠空間の上下方向において高い位置に配置されることを特徴とする。
【００１１】
請求項３に記載の発明は、カーテンウォールユニットが建物の外周部に縦横に配置されて形成されるカーテンウォールにおけるカーテンウォールユニット間に備えられる水密構造であって、隣接するカーテンウォールユニットの組み合わされる縦枠間に配置される複数のシール材（２０〜２５）と、隣接するカーテンウォールユニットの組み合わされる横枠間に配置されるシール材（２６〜２９）と、を有し、横枠間には、シール材及び横枠の片により囲まれる横枠空間（Ｄ、Ｅ、Ｆ）が形成され、縦枠間には、シール材及び縦枠の片により囲まれる少なくとも２つの縦枠空間（Ａ、Ｂ、Ｃ）が、見込方向に並列されて形成され、最も室外側の下横枠空間（Ｄ）が少なくとも１か所で外気に連通されるように片又はシール材が第１の非シール部（２９ａ）を有し、縦枠空間のうち最も室外側に配置される縦枠空間（Ａ）は最も室外側の下横枠空間（Ｄ）に連通しており、最も室外側に配置される縦枠空間以外の他の縦枠空間（Ｂ、Ｃ）が、最も室外側に配置された縦枠空間に直接又は他の縦枠空間を介して連通するように、片又はシール材が第２の非シール部（２１ａ、２２ａ）を備え、縦枠空間を連通するための第２の非シール部は、第１の非シール部よりも上下方向において高い位置に配置されている、カーテンウォールの水密構造である。
【発明の効果】
【００１２】
本発明によれば、等圧設計を採用し、水密性能を得ることができるとともに、等圧空間における室内側の空気の入れ替えを抑制することが可能となり、断熱性に優れたカーテンウォール、及びカーテンウォールの水密構造を提供することができる。
【図面の簡単な説明】
【００１３】
【図１】第一実施形態に係るカーテンウォールの一部を示す室外視斜視図である。
【図２】図１にII-IIで示した断面図である。
【図３】図１にIII-IIIで示した断面図である。
【図４】縦枠空間の配置及び連通の態様を説明する図である。
【図５】横枠空間及び縦枠空間の連通の態様を説明する図である。
【図６】変形例を説明する図５に相当する図である。
【図７】第二実施形態に係るカーテンウォールのうち、図２に相当する図である。
【図８】第二実施形態に係るカーテンウォールの横枠空間及び縦枠空間の連通の態様を説明する図である。
【発明を実施するための形態】
【００１４】
本発明の上記した作用及び利得は、次に説明する発明を実施するための形態から明らかにされる。以下本発明を図面に示す実施形態に基づき説明する。
【００１５】
図１に第一実施形態に係るカーテンウォール１が具備された建物の外観を示した。図１からわかるように、建物外壁の一態様であるカーテンウォール１は、複数のカーテンウォールユニット１０、１０、…が建物躯体に上下左右に並列されて取り付けられることにより形成される。図１では、わかり易さのため、水平方向及び垂直方向に隣接する合計４つのカーテンウォールユニット１０、１０、…のみを実線で示し、他のカーテンウォールユニット１０、１０、…は破線で示した。
【００１６】
各カーテンウォールユニット１０は、枠体１１、及び該枠体１１により区画された枠内に配置されるガラスパネル４０を備えている。また、隣接するカーテンウォール１０、１０、…間には、シール材２０、２１、２２、２３、２４、２５、２６、２７、２８、２９が設けられている（図２、図３参照）。
図２には、図１にII-IIで示した線に沿った断面図（水平断面図）、図３には図１にIII-IIIで示した線に沿った断面図（垂直断面図）をそれぞれ表した。いずれも隣接するカーテンウォールユニット１０、１０との連結部分に注目した図であり、図２では、紙面の上が室内側、紙面の下が室外側である。図３では、紙面左が室外側、紙面右が室内側である。以下、各部材について説明する。
【００１７】
枠体１１は、縦枠１２、縦枠１３、及び横枠である上横枠１４、下横枠１５が矩形枠状に組み合わせられて構成されている。詳しくは、図１からよくわかるように、縦枠１２、１３、上横枠１４、下横枠１５により枠状が形成されて枠体１１となる。そして、左右方向では左右に隣接するカーテンウォールユニット１０、１０の縦枠１２と縦枠１３とが連結される。また、上下方向では上下に隣接するカーテンウォールユニット１０、１０の上横枠１４と下横枠１５とが連結される。
【００１８】
図２を参照しつつ、縦枠１２、１３の態様について説明する。
縦枠１２は、図２にその断面が表れているように、左右方向（見付方向）に並列され、室内外方向（見込方向）に延在する片１２ａ、片１２ｃを有している。片１２ａ、及び片１２ｃの見込方向室外側端部を渡すように片１２ｂが設けられている。
また、片１２ｃには、見込方向に並列され、隣接するカーテンウォール１０の方向に向かって延在する片１２ｄ、片１２ｅが配置されている。片１２ｄ、片１２ｅの先端は、後述するシール材２０、２１を固定することができるように構成されている。
【００１９】
また、片１２ａ、片１２ｃの見込方向室外側には、上記した片１２ｂを１つの片として含み、ガラスパネル４０の側端部を受け入れるガラスパネル取り付け部１２ｆが備えられている。さらに、ガラスパネル取り付け部１２ｆのうち、隣接するカーテンウォール１０側には、見込方向に並列された２つのシール材取り付け部１２ｇ、１２ｈが設けられている。
【００２０】
縦枠１３も図２にその断面が表れているように、見込方向に延在する片１３ａを有している。片１３ａの見込方向室外側端部には、隣接するカーテンウォールユニット１０に向けて延在する片１３ｂが設けられている。
また、片１３ａには、見込方向に並列され、隣接するカーテンウォール１０の方向に向かって延在する片１３ｄ、片１３ｅが配置されている。
【００２１】
また、片１３ａの見込方向室外側には、上記した片１３ｂを１つの片として含み、ガラスパネル４０の側端部を受け入れるガラスパネル取り付け部１３ｆを備えている。さらに、ガラスパネル取り付け部１３ｆのうち、隣接するカーテンウォール１０側には、見込方向に並列された２つのシール材取り付け部１３ｇ、１３ｈが設けられている。
【００２２】
本実施形態では、上記のように左右の縦枠でその断面形状が異なる態様としているが、これに限定されるものではなく、両縦枠が対称である断面形状であってもよい。
【００２３】
次に図３を参照しつつ、上横枠１４、及び下横枠１５について説明する。
上横枠１４は、図３にその断面が表れているように、見込方向に延在する片１４ａを有している。片１４ａの見込方向室外側には、ガラスパネル４０の上端部を受け入れるガラスパネル取り付け部１４ｂを備えている。また、片１４ａには、該片１４ａのうち隣接するカーテンウォール１０側に突出するように設けられ、凹部を具備する被嵌合部１４ｃが配置されている。当該被嵌合部１４ｃの凹状の開口部先端には後述するシール材２６、２７を取り付ける部位が形成されている。また被嵌合部１４ｃのうち室外側に面する片の長手方向（図３の紙面奥／手前方向）中央には凹状の内外を連通する切り欠き（非シール部）１４ｄが設けられている。
【００２４】
下横枠１５も図３にその断面が表れているように、見込方向に延在する片１５ａを有している。片１５ａの見込方向室外側には、ガラスパネル４０の下端部を受け入れるガラスパネル取り付け部１５ｂを備えている。また、片１５ａには、該片１５ａのうち隣接するカーテンウォール１０側に突出するように設けられ、凸状である嵌合部１５ｃが配置されている。さらに、ガラスパネル取り付け部１５ｂのうち、隣接するカーテンウォール１０側には、見込方向に並列された２つのシール材取り付け部１５ｄ、１５ｅが設けられている。
【００２５】
ガラスパネル４０は、複層ガラスパネルであり、枠体１１により区画された内側にシール材等を介して固定される。詳しくはガラスパネル４０のうち、側端部は縦枠１２のガラスパネル取り付け部１２ｆ及び縦枠１３のガラスパネル取り付け部１３ｆに固定される（図２参照）。また、その上端部は上横枠１４のガラスパネル取り付け部１４ｂに、下端部は下横枠１５のガラスパネル取り付け部１５ｂに固定される（図３参照）。
【００２６】
シール材２０は、図２にその断面が表れているように、縦枠１２の片１２ｅの先端部に固定され、縦枠１２に沿って延在する長いシール材である。
シール材２１も図２にその断面が表れており、縦枠１２の片１２ｄの先端部に固定され、縦枠１２に沿って延在する長いシール材である。シール材２１は後で説明するように、長手方向下端部でシールがされない状態を形成する部位である非シール部（例えば切り欠き）を有する。
シール材２２は、図２にその断面が表れているように、縦枠１２のシール材取り付け部１２ｇに固定され、縦枠１２に沿って延在するシール材である。シール材２２は、後述するように、シール材２４と組してその接触部をシールするが、長手方向上端部でシールがされない状態を形成する部位である非シール部（例えば切り欠き）を有する。
シール材２３は、図２にその断面が表れているように、縦枠１２のシール材取り付け部１２ｈに固定され、縦枠１２に沿って延在するシール材である。シール材２３は、後述するように、シール材２５と組してその接触部をシールする。
シール材２４は、図２にその断面が表れているように、縦枠１３のシール材取り付け部１３ｇに固定され、縦枠１３に沿って延在するシール材である。シール材２４は、シール材２２と組してその接触部をシールするが、長手方向上端部でシールがされない状態を形成する部位である非シール部（例えば切り欠き）を有する。
シール材２５は、図２にその断面が表れているように、縦枠１３のシール材取り付け部１３ｈに固定され、縦枠１３に沿って延在するシール材である。シール材２５は、シール材２３と組してその接触部をシールする。
【００２７】
シール材２６、２７は、図３にその断面が表れているように、上横枠１４の被嵌合部１４ｃの凹状の開口部の両側に固定され、上横枠１４の長手方向に沿って延在するシール材である。
シール材２８は、図３にその断面が表れているように、下横枠１５のシール材取り付け部１５ｄに固定され、下横枠１５の長手方向に沿って延在するシール材である。
シール材２９は、図３にその断面が表れているように、下横枠１５のシール材取り付け部１５ｅに固定され、下横枠１５の長手方向に沿って延在するシール材である。シール材２９は、後述するように、その長手方向の一部にシールしない部位である非シール部（例えば切り欠き）を有する。
【００２８】
ここで、上記したシール材２０〜２９は、シールがされない状態を形成する部位以外の部位では、シール材を挟んで一方と他方とにおいて気密及び水密をとることが可能とされている。
また、図２、図３からわかるようにガラスパネル取り付け部１２ｆ、１３ｆ、１４ｂ、１５ｂにはそれぞれ断熱材４５、４６、４７、４８が備えられ、断熱性を向上させている。
【００２９】
また、上記シール材の材質は特に限定されるものではなく、通常適用することができる各種シール用の部材を用いることができる。これには例えばゴム、ガスケット等を挙げることができる。
【００３０】
以上のような各構成部材を有するカーテンウォールユニット１０が縦横に組み合わされることによりカーテンウォール１が形成される。具体的に次の通りである。
図１、図２からわかるように、左右方向に隣り合うカーテンウォールユニット１０、１０では、縦枠１２と縦枠１３とが連結される。すなわち、縦枠１２の片１２ｅと縦枠１３の片１３ｅとがシール材２０を介して密着される。また、縦枠１２の片１２ｄと縦枠１３の片１３ｄとがシール材２１を介して密着される。さらに、シール材２２とシール材２４とが密着するとともに、シール材２３とシール材２５とが密着して配置される。
【００３１】
これにより、隣り合う縦枠１２、１３間に少なくとも図２にＡ、Ｂ、Ｃで示した縦枠間の空間が形成される。縦枠空間Ａは、縦枠１２、１３、シール材２２、２３、２４、２５により囲まれる空間である。縦枠空間Ｂは片１２ｃ、１２ｄ、１３ａ、１３ｂ、１３ｄ、シール材２１、２２、２４により囲まれる空間である。そして縦枠空間Ｃは、片１２ｃ、１２ｄ、１２ｅ、１３ａ、１３ｄ、１３ｅ、シール材２０、２１により囲まれる空間である。従って、室外側から見込方向室内側に向けて縦枠空間Ａ、Ｂ、Ｃが並列される形態となる。各空間の関係については後で説明する。
【００３２】
一方、図１、図３からわかるように、上下方向に隣り合うカーテンウォールユニット１０、１０では、上横枠１４と下横枠１５とが連結される。すなわち、上横枠１４の被嵌合部１４ｃに、上側に隣接するカーテンウォールユニット１０の下横枠１５の嵌合部１５ｃが嵌合される。このとき、嵌合部１５ｃを挟むように２つのシール材２６、２７がシールする。
また、シール材２８及びシール材２９は、その下端部が下側に隣接するカーテンウォールユニット１０の上横枠１４の上面に密着する。
【００３３】
これにより、上横枠１４と下横枠１５との間に少なくとも図３にＤ、Ｅ、Ｆで示した横枠間の空間が形成される。横枠空間Ｄは、上横枠１４、下横枠１５、シール材２８、２９により囲まれる空間である。横枠空間Ｅは片１４ａ、被嵌合部１４ｃ、下横枠１５及びシール材２７、２８により囲まれる空間である。横枠空間Ｆは被嵌合部１４ｃ、嵌合部１５ｃ、シール材２６、２７により囲まれる空間である。横枠空間Ｄ、Ｅ、Ｆと上記した縦枠空間Ａ、Ｂ、Ｃとの関係については後で説明する。
【００３４】
次に上記した縦枠空間Ａ〜Ｃ及び横枠空間Ｄ〜Ｆの関係について説明する。図４は、縦枠空間Ａ〜Ｃ及び横枠空間Ｄ〜Ｆの配置をカーテンウォール１０の縦断面に表した図、図５は、シールされる部位や連通される部位の配置を模式的に表した図である。図２〜図５を参照しつつ説明する。
【００３５】
縦枠空間Ａのうち、シール材２３、２５が密着して形成された側、すなわち室外側のシールは、図４、図５からわかるように、カーテンウォールユニット１０の上下方向全長に亘って縦枠空間Ａを室外側から遮断している。一方、シール材２２、２４が密着して形成された側は、上記したようにその上端部でシールしていない部分である非シール部２２ａが設けられている。従って、図４、図５からわかるように縦枠空間Ａと縦枠空間Ｂとは非シール部２２ａで連通している。
【００３６】
縦枠空間Ｂのうち、シール材２１によりシールされた側には、上記したようにその下端側でシールしていない部分である非シール部２１ａが設けられている（図４、図５参照）。従って、図４、図５からわかるように、縦枠空間Ｂと縦枠空間Ｃとは非シール部２１ａで連通している。
また、縦枠空間Ｂは、横枠空間Ｅとも連通している。さらに、横枠空間Ｅと横枠空間Ｆとは切り欠き（非シール部）１４ｄを介して連通している。
【００３７】
縦枠空間Ｃのうち、シール２０によりシールされた側、すなわち室内側のシールは、図４、図５からわかるように、カーテンウォールユニット１０の上下方向全長に亘って縦枠空間Ｃを室内側から遮断している。
【００３８】
横枠空間Ｄのうち、シール材２９によりシールされた側、すなわち室外側のシールは上記したように長手方向略中央でシールされていない部分である非シール部２９ａが設けられている（図５参照）。従って、図５からわかるように、横枠空間Ｄは室外に非シール部２９ａで連通している。一方、シール材２８でシールされた側は左右方向全長に亘ってシールされている。
また、横枠空間Ｄは図５からわかるように、その長手方向両端において、左右の縦枠空間Ａ、Ａのそれぞれに連通するように形成されている。従って横枠空間Ｄは縦枠空間Ａに連通している。
【００３９】
以上より、横枠空間Ｄは室外と連通し、縦枠空間Ａは横枠空間Ｄと連通する。さらに縦枠空間Ｂは縦枠空間Ａと連通し、縦枠空間Ｃと横枠空間Ｅは縦枠空間Ｂと連通する。また、横枠空間Ｅは横枠空間Ｆに連通する。従って、縦枠空間Ａ〜Ｃ、及び横枠空間Ｄ〜Ｆは最終的に室外と連通し、いずれの空間も圧力状態が同じ（等圧）となる。これにより、いわゆる等圧空間が形成され、室外側から室内側への差圧による水の吸い込みを防止することができ、水密性能を向上させることができる。
【００４０】
ここで、上記した非シール部２９ａ、２２ａ、２１ａや切り欠き（非シール部）１４ｄは、見込方向に連続しないように異なる位置に配置されている。従って、上記等圧空間が形成される際には図４には太い矢印、図５には破線で示したように、その圧力の伝達が長い経路により行われる。すなわち、室外側の圧力は、横枠空間Ｄ、横枠空間Ｄの両端、縦枠空間Ａ、非シール部２２ａ、縦枠空間Ｂ（横枠空間Ｅ、Ｆ）、非シール部２１ａ、縦枠空間Ｃのように伝達される。
【００４１】
かかる室外側からの縦枠空間Ｃ、横枠空間Ｆまでの連通は、このように長い経路により形成されているので、圧力は容易に伝達される一方で、ここに含まれる空気と、外気との入れ替わりは抑制される。従って、室内側である程、空気の入れ替わりが少なく、保温状態が維持され、断熱性能を向上させることが可能となる。
【００４２】
以上のように、本実施形態のカーテンウォール１によれば、等圧空間が形成されることにより水密性能を向上させることができる。さらに、等圧空間において空気の入れ替わりが抑制されるように形成することにより断熱性を向上させることが可能となる。従って結露を防止することもできる。
【００４３】
また、その構成はシール材の非シール部の形成位置を調整すればよいのみなので、簡易に行うことができる。例えば施工現場においておこなうことも容易である。
【００４４】
このように、等圧とするに際し、これが長い経路によって行われればよいので、シール材の非シール部が見込方向に並ばないように形成されていればよく、上記した実施形態の他にも多くの非シール部の配置パターンを考えることが可能である。図６にその一例を示した。図６は、図５に相当する図である。図６の例では、シール材２９に３か所の非シール部２９ａ、２９ａ、２９ａが設けられ、シール材２２、２４の非シール部２２ａ’は、シール材２２、２４の長手方向中央に設けられている。また、シール材２１の非シール部２１ａ’は上端部近傍に配置されている。
かかる態様のカーテンウォールであっても上記効果を奏するものとなる。
【００４５】
図７は、第二実施形態に係るカーテンウォール１０１を説明するための図で、図２に相当する図である。また、図５に相当する図を図８に示した。カーテンウォール１０１では、上記第一実施形態に係るカーテンウォール１に対し、シール部材２２、２４が設けられておらず、縦枠空間Ａと縦枠空間Ｂとが１つとなった縦枠空間Ａ’が形成されている点で異なる。すなわち、カーテンウォール１では縦枠１２、１３間に３つの縦枠空間Ａ、Ｂ、Ｃが形成されていたのに対し、カーテンウォール１０１では、縦枠１２、１３間に２つの縦枠空間Ａ’、Ｃが形成されている。また、これにともない、シール材２１の非シール部２１ａは、その長手方向上端に形成されている。
【００４６】
カーテンウォール１０１では、カーテンウォール１に比べて、等圧を形成する空間の経路は短いので、断熱効果はカーテンウォール１の方が好ましいと考えられるが、従来のカーテンウォールに対しては、上記効果を奏するものとなる。
【００４７】
以上、本発明のカーテンウォールによれば、水密性を保持しつつ、断熱性も向上させることが可能となる。本発明は、さらに断熱性を向上させることを目的に、付加的に断熱材を用いることを妨げるものではない。
【００４８】
以上、現時点において、実践的でありかつ好ましいと思われる実施形態に関連して本発明を説明したが、本発明は、本願明細書中に開示された実施形態に限定されるものではなく、請求の範囲及び明細書全体から読み取れる発明の要旨或いは思想に反しない範囲で適宜変更可能であり、そのような変更を伴うカーテンウォール及びカーテンウォールの水密構造もまた本発明の技術的範囲に包含されるものとして理解されなければならない。
【符号の説明】
【００４９】
１  カーテンウォール
１０  カーテンウォールユニット
１１  枠体
１２、１３  縦枠
１４  上横枠（横枠）
１５  下横枠（横枠）
２０、２１、２２、２３、２４、２５  シール材
２６、２７、２８、２９  シール材
４０  ガラスパネル
Ａ、Ｂ、Ｃ  縦枠空間
Ｄ、Ｅ、Ｆ  横枠空間
【図１】
0005523879.tif 000002
【図２】
0005523879.tif 000003
【図３】
0005523879.tif 000004
【図４】
0005523879.tif 000005
【図５】
0005523879.tif 000006
【図６】
0005523879.tif 000007
【図７】
0005523879.tif 000008
【図８】
0005523879.tif 000009